(57)【要約】【課題】着用者の手首に冷風や雨水、日射などが当ることを防ぎ、その封止効果を昂める。【解決手段】外袖（１１）の裏面に内袖（１２）の根元部（１２ｂ）が縫製された上着（Ａ）の二重袖口構造において、上記内袖（１２）を着用者の手（Ｍ）にフィットし得るポリエステル系合成繊維やポリウレタン系弾性繊維、その他の伸縮素材から実質的な先細りの截頭円錐型に造形すると共に、その円錐面（２４）に１個の親指導出口（２５）を開口させて、その親指導出口（２５）へ手（Ｍ）の親指（２６）を差し込むことにより、上記内袖（１２）を外袖（１１）から引き伸ばし露出させた着用状態に保つ。【選択図】  図８
0003125285.tif 000002
【実用新案登録請求の範囲】
【請求項１】
外袖（１１）の裏面に内袖（１２）の根元部（１２ｂ）が縫製された上着（Ａ）の二重袖口構造において、
上記内袖（１２）を着用者の手（Ｍ）にフィットし得るポリエステル系合成繊維やポリウレタン系弾性繊維、その他の伸縮素材から実質的な先細りの截頭円錐型に造形すると共に、その円錐面（２４）に１個の親指導出口（２５）を開口させて、
その親指導出口（２５）へ手（Ｍ）の親指（２６）を差し込むことにより、上記内袖（１２）を外袖（１１）から引き伸ばし露出させた着用状態に保つことを特徴とする上着の二重袖口構造。
【請求項２】
親指導出口（２５）を内袖（１２）の円錐面（２４）から外向きに曲げ起して、円筒型の保形状態に縫製したことを特徴とする請求項１記載の上着の二重袖口構造。
【請求項３】
内袖（１２）の伸縮素材に防水加工又は紫外線カット加工を施したことを特徴とする請求項１又は２記載の上着の二重袖口構造。
【考案の詳細な説明】
【技術分野】
【０００１】
本考案は冷風や雨水、日射などの封止効果を昂める上着の二重袖口構造に関する。
【背景技術】
【０００２】
従来の防寒用や防水用上着に採用されている二重袖口構造では、図９のように外袖（１）よりも短かい内袖（２）の根元部（２ｂ）が、外袖（１）の裏面に縫製されており、その中へ着用者の手（Ｍ）を通すようになっている。
【考案の開示】
【考案が解決しようとする課題】
【０００３】
ところが、上記内袖（２）は外袖（１）と同様に伸縮しない素材から成り、その先端部（２ａ）のみが縫い込まれたタックゴム（図示省略）によって、直径方向へ伸縮作用するに過ぎないため、ここがたとえ着用者の手首（３）へフィットしたとしても、その手首（３）から指先側は内袖（２）の先端部（２ａ）から悉く露出することになる。
【０００４】
そこで、図１０のように手袋（４）を着用するとしても、その手袋（４）と上記内袖（２）との継ぎ目（間隙）（Ｗ）が露呈し、ここから手首（３）に当る冷風や雨水などを完全に封止することができない。
【０００５】
又、着用した手袋（４）により、内袖（２）が外袖（１）の内奥部へ押し戻されて、皺寄ることも起りやすく、着用中の違和感を与えるのである。
【課題を解決するための手段】
【０００６】
本考案はこのような課題の改良を目的としており、その目的を達成するために、請求項１では外袖の裏面に内袖の根元部が縫製された上着の二重袖口構造において、
【０００７】
上記内袖を着用者の手にフィットし得るポリエステル系合成繊維やポリウレタン系弾性繊維、その他の伸縮素材から実質的な先細りの截頭円錐型に造形すると共に、その円錐面に１個の親指導出口を開口させて、
【０００８】
その親指導出口へ手の親指を差し込むことにより、上記内袖を外袖から引き伸ばし露出させた着用状態に保つことを特徴とする。
【０００９】
又、請求項２では親指導出口を内袖の円錐面から外向きに曲げ起して、円筒型の保形状態に縫製したことを特徴とする。
【００１０】
更に、請求項３では内袖の伸縮素材に防水加工又は紫外線カット加工を施したことを特徴とする。
【考案の効果】
【００１１】
請求項１の上記構成によれば、内袖が伸縮性に富む素材から実質的な先細りの截頭円錐型をなし、その円錐面に１個の親指導出口が開口されているため、内袖の中に通した手の５指をすべて、その内袖の先端部から露出させることにより、図５のような通常の着用状態を得られるほか、手の親指を上記親指導出口へ差し込むことによって、その内袖を外袖の先端部から引き伸ばし、適当な長さだけ露出した図７のような着用状態も得ることができる。
【００１２】
しかも、その引き伸ばされた内袖は口径の収縮状態として、着用者の手首に密着フィットする結果、万一外袖の先端部から冷気や雨水などが侵入するも、これらから手首を確実に封止することができ、殊更手袋を着用した場合には図８のように、上記手首をその手袋と内袖とから重畳的に完全封止し得る効果がある。
【００１３】
その場合、請求項２の構成を採用するならば、内袖に開口する上記親指導出口が、その内袖の円錐面から外向きに隆起する円筒型として、内袖の先端部と分岐した保形状態にあるため、内袖に通す手の親指をその親指導出口へ、一層円滑にすばやく差し込むことができ、親指の根元部に対する密着フィット効果も向上する。
【００１４】
更に、請求項３の構成を採用するならば、内袖の防水加工や紫外線（ＵＶ）カット加工により、防水効果や日除け効果に富む上着を得ることもでき、ますます有用となる。
【考案を実施するための最良の形態】
【００１５】
以下、図面に基いて本考案の具体的構成を説明すると、図１は本考案に係る防寒用の上着（Ａ）を例示しており、（１０）はその互いに同じ左右一対の袖口であって、図２〜４のような外袖（１１）とこれよりも短かい内袖（１２）とから成る二重構造に縫製されている。
【００１６】
即ち、その二重袖口構造の詳細を示した図２〜４において、（１３）（１４）は防水性を有する外袖（１１）の表地と見返し裏地、（１５）は帯環状の袖口縁取り生地であり、その約半円周分がタックゴム（１６）の縫い込まれた伸縮帯域（１７）として伸縮し得る一方、残る非伸縮帯域（１８）の表面には雌側の面ファスナー（１９）が縫い付けられている。
【００１７】
そして、上記表地（１３）の裏向きに折り曲げられた先端部（１３ａ）と、見返し裏地（１４）の表向きに折り曲げられた先端部（１４ａ）とが、上記袖口縁取り生地（１５）の根元部を挟み込む状態として縫い付け一体化されている。（２０）は一定長さの締付けバンドであって、その根元部が上記袖口縁取り生地（１５）の非伸縮帯域（１８）へ縫い付けられており、残る張り出し先端部の裏面には雄側の面ファスナー（２１）が縫い付けられている。
【００１８】
そのため、その締付けバンド（２０）の雄側面ファスナー（２１）を上記袖口縁取り生地（１５）の雌側面ファスナー（１９）へ、着脱自在に押さえ付け固定することによって、その外袖（１１）の袖口縁取り生地（２５）を口径の収縮状態に引き絞り封止することができる。
【００１９】
上記外袖（１１）が伸縮しない素材から成るに比して、内袖（１２）は着用者の手（Ｍ）に馴染み良くフィットし得るポリエステル系合成繊維（商品名：テトロン（登録商標））やポリウレタン系弾性繊維（一般名：スパンデックス）、その他の伸縮性に富む素材から実質的な先細りの截頭円錐型に造形されており、その先端部には同じ伸縮素材の袖口縁取りテープ（２２）が被覆状態として縫い付けられている。
【００２０】
そして、その内袖（１２）の根元部（１２ｂ）はナイロンメッシュなどから成る内地（２３）の表向きに折り曲げられた先端部と、上記外袖（１１）における見返し裏地（１４）の根元部との内外相互間へ、図２のように挟み込まれた状態として縫い付け一体化さている。尚、上記内地（２３）が上着（Ａ）における見頃や袖の裏面へ、縫い合わされていることは言うまでもない。
【００２１】
しかも、上記内袖（１２）を形作る円錐面（２４）の中途部には、１個の親指導出口（２５）が開口されており、着用者が内袖（１２）の中に通す手（Ｍ）の親指（２６）を、内袖（１２）の先端部から露出することになる残りの４指（２７）と分岐して、その親指導出口（２５）へ差し込み使用することもできるようになっている。
【００２２】
その場合、上記親指導出口（２５）は内袖（１２）の円錐面（２４）へ、その平面での言わばフラットな円形として切り欠き、これを縁取り保形するにとどめてもさしつかえないが、内袖（１２）を予じめ裁断された展開状態の上記伸縮素材から截頭円錐型に縫い合わせ立体化する際、その一部を図３、４のような縫合線（Ｘ−Ｘ）上での向かい合う半円筒型として曲げ起し、その一対の半円筒型を全体的な円筒型に縫い合わせると共に、これらに同じ伸縮素材の開口縁取りテープ（２８）を被覆状態に縫い付けることにより、上記親指導出口（２５）を内袖（１２）の円錐面（２４）から外向きに安定良く隆起する円筒型として、保形立体化させることが好ましい。
【００２３】
そうすれば、着用者が手（Ｍ）の親指（２６）をその内袖（１２）の親指導出口（２５）へ、一層円滑に差し込み導出させることができるからである。尚、（２９）は上記内袖（１２）における縫合線（Ｘ−Ｘ）上でのかがり縫い糸、（３０）は親指導出口（２５）を被覆した開口縁取りテープ（２８）の縫い糸である。
【００２４】
上記二重袖口構造を備えた上着（Ａ）の着用時には、その内袖（１２）の中に通した手（Ｍ）の５指（２６）（２７）を図５のように、すべて内袖（１２）の先端部から露出させることにより、従来技術と同様な着用状態を得ることができ、その場合内袖（１２）は言わば自然での短縮状態として、外袖（１１）の内部に納まっており、その外袖（１１）の先端部から見苦しく露呈することはない。
【００２５】
又、内袖（１２）の中に通した手（Ｍ）の親指（２６）を、その内袖（１２）の親指導出口（２５）へ図６のように差し込んで、残る４指（２７）を内袖（１２）の先端部から露出させる方向（Ｆ）へ進めれば、これに連れて内袖（１２）が自づと引き伸ばされ、図７のように外袖（１１）の先端部から着用者の体格に応じた適当な長さ（Ｌ）だけ露出する結果となる。
【００２６】
しかも、内袖（１２）は上記引き伸ばされるに連れて、その口径の収縮状態となり、着用者の手首（３１）に密着フィットするため、たとえ外袖（１１）の先端部から冷風や雨水などが侵入するも、これらが手首（３１）へ直かに当ることを封止することができる。
【００２７】
そのため、例えば道路工事などの屋外作業中や、二輪車の走行中などに着用して、著しく有効である。その際、内袖（１２）の先端部から４指（２７）のみならず、上記親指導出口（２５）から親指（２６）も露出する結果、触感の必要な作業に支障を与えることはない。
【００２８】
更に、その着用者の５指（２６）（２７）も被覆すべく、図８のように手袋（３２）を着用した場合、着用者の手首（３１）は上記内袖（１２）と手袋（３２）との重畳的に被覆される結果、冷風や雨水などを完全に封止することができ、図１０に示した従来技術の継ぎ目（間隙）（Ｗ）が露呈するおそれはない。
【００２９】
そして、この場合にも内袖（１２）は着用者の親指（２６）により引き伸ばされた口径収縮状態として、その着用者の手首（３１）に密着フィットするため、その内袖（１２）が手袋（３２）により外袖（１１）の内奥部へ押し戻されて、アットランダムな皺寄りなどを起すおそれもなく、快適な着用感を得られるのである。
【００３０】
図示の実施形態では防寒用の上着（Ａ）を例示しており、その外袖（１１）に防水性を与えているが、上記内袖（１２）の伸縮素材にも防水加工を施すことができる。又、本考案の上着（Ａ）は防寒用や防水用のみならず、その内袖（１２）の伸縮素材に紫外線（ＵＶ）カット加工を施して、強い日射から着用者の手（Ｍ）を封止する日除け用の上着としても適用実施することができる。
【図面の簡単な説明】
【００３１】
【図１】本考案に係る二重袖口構造の上着を示す正面図である。
【図２】その袖口部分を抽出して示す半欠截の拡大断面図である。
【図３】図２の３−３線に沿う部分拡大図である。
【図４】図３の４−４線に沿う拡大断面図である。
【図５】内袖に手を通した着用状態の説明図である。
【図６】内袖の親指導出口に手の親指を差し込んだ別な着用状態の説明図である。
【図７】手の５指を袖口から露出させた着用状態の説明図である。
【図８】手袋を着用した状態の説明図である。
【図９】従来の二重袖口構造を示す説明図である。
【図１０】図９の着用状態を示す図８に対応する説明図である。
【符号の説明】
【００３２】
（１０）・袖口
（１１）・外袖
（１２）・内袖
（１２ｂ）・内袖の根元部
（１３）・表地
（１４）・見返し裏地
（１５）・袖口縁取り生地
（１６）・タックゴム
（１７）・伸縮帯域
（１８）・非伸縮帯域
（１９）（２１）・面ファスナー
（２０）・締付けバンド
（２２）・内袖の袖口縁取りテープ
（２３）・内地
（２４）・内袖の円錐面
（２５）・親指導出口
（２６）・親指
（２７）・残りの４指
（２８）・親指導出口の開口縁取りテープ
（３１）・手首
（３２）・手袋
（Ａ）・上着
（Ｍ）・手
（Ｌ）・引き伸ばし長さ
（Ｘ−Ｘ）・縫合線
【図１】
0003125285.tif 000003
【図２】
0003125285.tif 000004
【図３】
0003125285.tif 000005
【図４】
0003125285.tif 000006
【図５】
0003125285.tif 000007
【図６】
0003125285.tif 000008
【図７】
0003125285.tif 000009
【図８】
0003125285.tif 000010
【図９】
0003125285.tif 000011
【図１０】
0003125285.tif 000012